(57)【要約】【課題】  広告画像を挿入して記録紙に出力する場合に、広告主にとってより高い宣伝効果を得ることのできる画像形成装置及び画像形成システムを提供すること。【解決手段】  原稿読取部７により読み取られた原稿画像データに広告画像が存在する場合であって、当該広告画像の広告主と同一の広告主でかつ当該広告画像よりも新しい新規広告画像データがＨＤＤ５に記憶されている場合には、原稿画像データ上の広告画像を当該新規広告画像データに置き換えて画像形成する。【選択図】  図２
2010141411.tif 000002
【特許請求の範囲】
【請求項１】
原稿の画像を読み取る読取手段と、
広告画像データを記憶する記憶手段と、
前記読取手段により読み取られた原稿画像データと、前記記憶手段に記憶された広告画像データとに基づき、記録紙に画像形成を行う画像形成手段と、
前記原稿画像データに広告画像が存在する場合であって、当該広告画像の広告主と同一の広告主でかつ当該広告画像よりも新しい新規広告画像データが前記記憶手段に記憶されている場合には、前記原稿画像データ上の広告画像を前記新規広告画像データに置き換えて前記画像形成手段に画像形成させる制御手段と、
を有することを特徴とする画像形成装置。
【請求項２】
情報を表示する表示部が設けられ、ユーザからの操作入力を受け付ける操作部を更に有し、
前記制御手段は、前記表示部に前記広告画像データを表示させ、ユーザにどの広告画像データを挿入して記録紙に画像形成をさせるのかを前記操作部を介して選択させることを特徴とする請求項１記載の画像形成装置。
【請求項３】
前記制御手段は、前記原稿画像データに複数の広告画像が挿入されている場合は、当該複数の広告画像のうち、いずれの広告画像を前記新規広告画像データに更新するかを、前記操作部を介して選択させることを特徴とする請求項２記載の画像形成装置。
【請求項４】
前記制御手段は、前記原稿画像データにおける広告スペースを認識し、当該広告スペースにユーザにより選択された前記広告画像データを挿入して、前記画像形成手段に画像形成させることを特徴とする請求項２又は３記載の画像形成装置。
【請求項５】
前記記憶手段は、前記広告画像データを広告主に関するデータと関連付けて記憶し、
前記制御手段は、前記原稿画像データに挿入されている広告画像データに一致する広告画像データを前記記憶手段から検索し、検索により得られた広告画像データに関連付けられている広告主に関するデータに基づき、前記原稿画像データに挿入されている広告画像の広告主を判別することを特徴とする請求項１記載の画像形成装置。
【請求項６】
前記制御手段は、ヒストグラム解析、類似画像検索、及びＯＣＲのいずれかの方法により、前記原稿画像データに挿入されている広告画像データと、前記記憶手段に記憶されている広告画像データとが一致するかどうかを判断することを特徴とする請求項５記載の画像形成装置。
【請求項７】
外部の広告サーバから前記新規広告画像データを受信する通信手段を更に有し、
前記記憶手段は、前記通信手段を介して前記広告サーバから受信した新規広告画像データを蓄積することを特徴とする請求項１記載の画像形成装置。
【請求項８】
前記制御手段は、前記原稿画像データに前記広告画像データを挿入して画像形成する場合には、前記広告画像データを挿入しない場合に比べて複写料金を割り引くことを特徴とする請求項１記載の画像形成装置。
【請求項９】
広告画像データを送信する広告サーバと、前記広告サーバから受信した前記広告画像データに基づき、記録紙に広告画像を形成する画像形成装置とからなる画像形成システムであって、
原稿の画像を読み取る読取手段と、
広告画像データを記憶する記憶手段と、
前記読取手段により読み取られた原稿画像データと、前記記憶手段に記憶された広告画像データとに基づき、記録紙に画像形成を行う画像形成手段と、
前記原稿画像データに広告画像が存在する場合であって、当該広告画像の広告主と同一の広告主でかつ当該広告画像よりも新しい新規広告画像データが前記記憶手段に記憶されている場合には、前記原稿画像データ上の広告画像を前記新規広告画像データに置き換えて前記画像形成手段に画像形成させる制御手段と、
を有することを特徴とする画像形成システム。
【請求項１０】
広告画像データを送信する広告サーバと、前記広告サーバから受信した前記広告画像データに基づき、記録紙に広告画像を形成する画像形成装置とからなる画像形成システムの制御方法であって、
原稿の画像を読み取る読取ステップと、
広告画像データを記憶手段に記憶する記憶ステップと、
前記読取ステップで読み取られた前記原稿画像データに広告画像が存在する場合であって、当該広告画像の広告主と同一の広告主でかつ当該広告画像よりも新しい新規広告画像データが前記記憶手段に記憶されている場合には、前記原稿画像データ上の広告画像を前記新規広告画像データに置き換えて記録紙に画像形成する画像形成ステップと、
を有することを特徴とする画像形成システムの制御方法。
【発明の詳細な説明】
【技術分野】
【０００１】
本発明は、原稿画像データに広告画像データを付加して記録紙に画像形成を行う画像形成装置、画像形成システム、及び画像形成システムの制御方法に関する。
【背景技術】
【０００２】
従来、画像形成装置を用いて原稿を複写する場合は、複写枚数、カラー／モノクロ等の利用形態、記録紙のサイズ等に応じた複写料金を、ユーザが全額負担していた。
【０００３】
近年、ユーザの複写料金の負担を軽減させる様々な手法が提案されている。例えば、複写時に広告画像を挿入して記録紙に画像形成することで、複写料金を広告主が一定額、もしくは全額負担して、ユーザの料金負担を軽減する手法が提案されている。
【０００４】
この手法を用いることで、ユーザの料金負担を抑えることが可能となり、また、広告を掲載する広告主にとっても宣伝の機会を増やすことで、宣伝効果の拡大が狙えるなど、双方にメリットが生まれている。
【０００５】
また、いつも同じ広告を載せるのではなく、いろいろな広告主の広告を掲載すべく、記録紙の広告スペースに載せる広告画像データを定期的に更新して出力する提案もなされている（例えば、特許文献１参照。）
【特許文献１】特開２００１−２３８１５５号公報
【発明の開示】
【発明が解決しようとする課題】
【０００６】
しかしながら、特許文献１記載の発明では、定期的に広告画像データを更新するものの、広告スペースが他の広告主の広告に変わってしまう可能性があるため、高い宣伝効果を得られなくなるという問題がある。
【０００７】
すなわち、広告主にとっては、他人の広告画像に置き換えられることなく、広告主の最新の広告画像が記録紙に形成されることでより高い宣伝効果を得ることができることから、このような要望を満たすことが望まれている。
【０００８】
そこで、本発明は、ユーザの複写料金の負担を軽減するために広告画像を記録紙に画像形成する場合において、広告主にとってより高い宣伝効果を得ることができる画像形成装置及び画像形成システムを提供することを目的とする。
【課題を解決するための手段】
【０００９】
上記目的を達成するため、本発明に係る画像形成装置は、原稿の画像を読み取る読取手段と、広告画像データを記憶する記憶手段と、前記読取手段により読み取られた原稿画像データと、前記記憶手段に記憶された広告画像データとに基づき、記録紙に画像形成を行う画像形成手段と、前記原稿画像データに広告画像が存在する場合であって、当該広告画像の広告主と同一の広告主でかつ当該広告画像よりも新しい新規広告画像データが前記記憶手段に記憶されている場合には、前記原稿画像データ上の広告画像を前記新規広告画像データに置き換えて前記画像形成手段に画像形成させる制御手段と、を有することを特徴とする。
【００１０】
また、本発明に係る画像形成システムは、広告画像データを送信する広告サーバと、前記広告サーバから受信した前記広告画像データに基づき、記録紙に広告画像を形成する画像形成装置とからなる画像形成システムであって、原稿の画像を読み取る読取手段と、広告画像データを記憶する記憶手段と、前記読取手段により読み取られた原稿画像データと、前記記憶手段に記憶された広告画像データとに基づき、記録紙に画像形成を行う画像形成手段と、前記原稿画像データに広告画像が存在する場合であって、当該広告画像の広告主と同一の広告主でかつ当該広告画像よりも新しい新規広告画像データが前記記憶手段に記憶されている場合には、前記原稿画像データ上の広告画像を前記新規広告画像データに置き換えて前記画像形成手段に画像形成させる制御手段と、を有することを特徴とする。
【００１１】
また、本発明に係る画像形成システムの制御方法は、広告画像データを送信する広告サーバと、前記広告サーバから受信した前記広告画像データに基づき、記録紙に広告画像を形成する画像形成装置とからなる画像形成システムの制御方法であって、原稿の画像を読み取る読取ステップと、広告画像データを記憶手段に記憶する記憶ステップと、前記読取ステップで読み取られた前記原稿画像データに広告画像が存在する場合であって、当該広告画像の広告主と同一の広告主でかつ当該広告画像よりも新しい新規広告画像データが前記記憶手段に記憶されている場合には、前記原稿画像データ上の広告画像を前記新規広告画像データに置き換えて記録紙に画像形成する画像形成ステップと、を有することを特徴とする。
【発明の効果】
【００１２】
本発明によれば、広告画像を記録紙に出力する場合に、広告主にとってより高い宣伝効果を得ることのできる画像形成装置、画像形成システム、及び画像形成システムの制御方法を提供することができる。
【発明を実施するための最良の形態】
【００１３】
以下、図面を参照し、本発明の実施形態について詳細に説明する。
【００１４】
（第１の実施形態）
図１は、本発明の実施形態に係るネットワーク図である。
【００１５】
画像形成装置１００、広告サーバ２００、及びクライアントコンピュータ３００は、ネットワーク４００を介して通信可能に接続されている。この画像形成装置１００は、例えばコンビニやプリント店に設置されている複写機等である。
【００１６】
広告サーバ２００には、広告主のクライアントコンピュータ３００から受信した広告画像データが蓄積されている。なお、広告サーバには、複数の広告主からの広告画像データを蓄積されており、それぞれの広告主に対応付けられて広告画像データが格納されている。
【００１７】
ユーザは、画像形成装置１００を用いて原稿の複写を行う。このとき、画像形成装置１００は、広告サーバ２００から広告画像データを受信し、原稿から読み取った画像データとともに受信した広告画像データを記録紙に画像形成する。
【００１８】
このように、広告画像データを挿入して画像形成を行うことで、画像形成装置１００を設置しているコンビニやプリント店は広告主から広告料を徴収でき、その分ユーザが支払うこととなる複写料金の割引を行うことができる。
【００１９】
図２は、画像形成装置の制御ブロック図である。
【００２０】
制御部１は、ＣＰＵ２、ＲＯＭ３、及びＲＡＭ４を有する。ＣＰＵ２は、画像形成装置１００全体を制御する制御回路である。ＲＯＭ３には、画像形成装置１００で実行する各種処理を制御するための制御プログラムが格納されている。
【００２１】
ＲＡＭ４は、ＣＰＵ２が動作するためのシステムワークメモリであり、また画像データを一時記憶するための画像メモリとしても機能する。ハードディスクドライブ（ＨＤＤ）５には、システムソフトウェア、画像データ等のデータが格納されている。
【００２２】
また、画像形成装置１００は、ネットワークＩ／Ｆ６を介してネットワーク４００に接続されており、広告サーバ２００やクライアントコンピュータ３００と通信可能に構成されている。
【００２３】
制御部１は、原稿の画像を読み取る原稿読取部７、ユーザからの操作入力を受け付ける操作部８、画像データに所定の画像処理を行う画像処理部９、及び記録紙に画像形成を行う画像形成部１０と接続されている。
【００２４】
まず、原稿の複写動作時には、ユーザにより原稿台上に原稿がセットされ、操作部８上のスタートキーが押下される。これに応じて、原稿読取部７は、ユーザにより原稿台上にセットされた原稿から画像データを読み取る。
【００２５】
画像処理部９は、原稿読取部７により読み取られた原稿の画像データに、ガンマ補正などの所定の画像処理を施す。画像形成部１０は、画像処理部９により画像処理された画像データに基づいて記録紙に画像形成を行う。この一連の複写動作により、ユーザは、原稿の複写物を得ることができる。
【００２６】
また、広告画像データを挿入する場合は、制御部１は、ネットワーク４００を通じて広告サーバ２００から広告画像データを受信する。受信した広告画像データは、ＨＤＤ５に蓄積される。
【００２７】
画像処理部９は、原稿読取部７により読み取られた原稿の画像データと、ＨＤＤ５に蓄積された広告画像データとを合成し、合成データを画像形成部１０に受け渡す。このとき、画像処理部９は、広告スペースを設ける分、原稿の画像データを縮小してから、広告画像データを合成することになる。
【００２８】
画像形成部１０は、画像処理部９により合成処理された画像データを受け取り、この画像データに基づいて記録紙に画像形成を行う。以上の処理によって、広告入りの複写物を出力することができる。
【００２９】
また、広告画像データを更新する場合は、広告主がクライアントコンピュータ３００から更新用の広告画像データを広告サーバ２００へと送信する。そして、広告サーバ２００は、受信した広告画像データを広告主からの最新の広告として、内部のＨＤＤに更新登録を行う。そして、更新された広告画像データは、広告サーバ２００から画像形成装置１００へ送られる。
【００３０】
また、画像形成装置１００において、広告画像データを画像形成した回数を広告サーバ２００に通知する。そして、広告サーバ２００は、画像形成装置１００で広告を画像形成した回数に応じて、広告主に請求する広告料金を算出し、広告主のクライアントコンピュータ３００に広告料金の請求の通知を行う。
【００３１】
なお、本実施形態においては、広告サーバ２００で広告画像データや広告料金の管理を行っているが、広告サーバ２００を間に介さず、広告サーバ２００の機能を画像形成装置１００に持たせた構成にしてもよい。
【００３２】
図３は、画像形成装置の制御を示すフローチャートである。
【００３３】
このフローチャートを実行するためのプログラムは、制御部１のＲＯＭ３に記憶されており、ＣＰＵ２により読み出されて実行される。また、このフローチャートは、ユーザにより操作部８上のスタートキーが押下されたことに応じて実行される。
【００３４】
まず、ＣＰＵ２は、原稿読取部７に原稿の画像データの読み取りを指示し、読み取られた原稿の画像データを原稿読取部７から取得する（Ｓ１００）。次に、ＣＰＵ２は、ユーザにより広告画像を入れて画像形成する旨の指定がなされたかどうかを判断する（Ｓ１０１）。ここで、広告画像を入れて画像形成する旨の指定は、ユーザが操作部８から入力することより行われる。
【００３５】
広告画像を入れて画像形成する指定がある場合には、ＣＰＵ２は、原稿の画像データに基づき、原稿に広告画像が存在するかどうかについて判断する（Ｓ１０２）。ここで、広告画像の有無の具体的な判断方法について説明する。
【００３６】
図４は、広告つきの原稿の一例を示す図である。
【００３７】
この図に示されるように、原稿２０上に広告スペース２１及び広告スペース２２の２つが設けられており、これらの広告スペースは予め原稿の下部の実線で囲まれた一定領域と定められている。
【００３８】
ＣＰＵ２は、原稿読取部７により読み取られた原稿２０の画像データに基づき、上記の実線で囲まれた広告スペース２１及び２２があるかどうかを判断する。さらに、ＣＰＵ２は、実線で囲まれた広告スペース２１及び２２に何らかの情報が記載されていれば、広告画像ありと判断する。
【００３９】
ステップＳ１０２において、広告画像があると判断された場合、ＣＰＵ２は、広告画像の解析を行う（Ｓ１０３）。ここで、広告画像の具体的な解析方法について説明する。
【００４０】
図５は、原稿の広告スペースにおける濃度ヒストグラムの解析結果を示す図である。
【００４１】
ＣＰＵ２は、原稿の広告スペース内の画像情報を濃度ヒストグラム解析にかけ、原稿の広告スペース内のヒストグラム情報と、ＨＤＤ５に格納されている広告画像データのヒストグラム情報とを照合していく。
【００４２】
図５に示されるグラフの横軸は明るさ（濃度）で、縦軸は当該明るさ（濃度）に該当する画素の数である。ＣＰＵ２は、ある明るさに対して、画素数が一致しているかどうかを照合していく。
【００４３】
ＨＤＤ５には、広告主情報、広告登録日、広告内容等と関連付けられた複数の広告画像データが格納されている。これらの広告画像データのヒストグラム情報のうち、原稿画像データ上の広告スペース内のヒストグラム情報との一致割合が９０％を超えるものがあれば、ＣＰＵ２は同一の広告と判断する。
【００４４】
原稿に広告スペースが複数ある場合には、広告一つ一つについてヒストグラム解析を行う。図４の例では、広告スペース２１と広告スペース２２の両方について、ヒストグラム解析を行う。この解析により、原稿の広告スペースに形成されている広告画像の広告主、広告登録日、広告内容等が明らかになる。
【００４５】
なお、広告画像を判別する方法として、ヒストグラム解析による判別を行ったが、この方法に限定するものではない。例えば、画像データ内の文字情報をＯＣＲ等で読み取る手法を用いて判定してもよいし、ビットマップで読み込んで類似画像検索の手法を用いてもよい。
【００４６】
広告画像の解析により得られた情報に基づき、ＣＰＵ２は、原稿の広告スペースに載っている広告画像の広告主と同一の広告主の新規広告画像がＨＤＤ５内にあるかどうかを判断する（Ｓ１０４）。
【００４７】
具体的には、ＣＰＵ２は、新規広告情報（広告画像データ、広告登録日、広告内容等）を外部の広告サーバ２００から定期的に受信して、受信した新規広告情報をＨＤＤ５に蓄積している。そして、ＣＰＵ２は、図５の例で説明した広告画像の解析により得られた広告主情報と広告登録日情報とに基づき、この広告登録日よりも新しい同一広告主の広告画像がＨＤＤ５内にある場合には、同一広告主の新規広告画像ありと判断する。
【００４８】
次に、ＣＰＵ２は、ＨＤＤ５から同一広告主の新規広告画像データを読み出す（Ｓ１０５）。そして、ＣＰＵ２は、原稿画像データの広告スペース上の広告画像を新規広告画像データに置き換えるよう画像処理部９に画像処理をさせ、合成画像データを画像形成部１０に渡してこの画像データに基づき記録紙に画像形成させる（Ｓ１０６）。
【００４９】
その後、ＣＰＵ２は、広告画像データの出力の見返りとして、ユーザへの複写料金の課金を割り引く（Ｓ１０７）。具体的には、複写料金から予め設定された割引料金を減額し、減額した旨を操作部８上の表示部に表示する。
【００５０】
そして、ＣＰＵ２は、広告の印刷回数をカウントアップして、ＨＤＤ５に記憶する（Ｓ１０８）。広告主は、後日、広告の印刷回数に応じた料金を、画像形成装置１００を設置しているコンビニやプリント店に支払うことになる。
【００５１】
一方、ステップＳ１０４において、同一広告主の新規広告画像がないと判断された場合、ＣＰＵ２は、広告画像の更新を行うことなく広告付きの原稿画像をそのまま画像形成するように、画像処理部９及び画像形成部１０を制御する（Ｓ１１２）。その後、ＣＰＵ２は、前述のステップＳ１０７に移行する。
【００５２】
また、ステップＳ１０２において、原稿に広告画像がないと判断された場合は、操作部８上の表示部に、ＨＤＤ５に格納されている複数の広告主のそれぞれに対応する広告画像の内容を表示する。そして、表示された広告画像の中から広告スペースに挿入したい広告画像が、ユーザにより選択されるまで待つ（Ｓ１１０）。
【００５３】
その後、ＣＰＵ２は、ユーザにより選択された広告画像に対応する広告画像データをＨＤＤ５から読み出す。そして、ＣＰＵ２は、原稿画像データを縮小して広告スペースを作り、当該広告スペースにＨＤＤ５から読み出された広告画像データを挿入して画像形成するよう、画像処理部９及び画像形成部１０を制御する（Ｓ１１１）。その後、ＣＰＵ２は、前述のステップＳ１０７に移行する。
【００５４】
また、ステップＳ１０２において、ユーザからの広告画像を入れる指定がない場合は、ＣＰＵ２は、広告画像を挿入せずに原稿画像をそのまま画像形成するよう、画像処理部９及び画像形成部１０を制御する（Ｓ１０９）。
【００５５】
この場合、複写料金を割り引く必要は無いので、ＣＰＵ２は、ステップＳ１０７及びＳ１０８を飛ばしてこのフローを終了する。
【００５６】
図６は、元の広告付き原稿と、当該広告付き原稿の複写物を示す図である。
【００５７】
元の原稿２０の広告スペース２１及び２２に印刷されている広告画像が、複写物３０の広告スペース３１及び３２において、同一広告主の新しい広告に入れ替わっていることがわかる。
【００５８】
このように、本実施形態によれば、原稿に挿入されている広告を認識して、同一広告主の最新の広告に更新することが可能となる。これの構成によって、広告主にとって広告の訴求効果を上げることができ、高い宣伝効果を得ることができる。
【００５９】
また、本実施形態では、原稿の広告スペースを認識して、当該広告スペースに挿入する広告画像データを更新するように構成した。この構成によって、広告付きの原稿を複写した場合であっても、広告入りの原稿画像を更に縮小して、更に新たな広告スペースを設けてしまうことによる原稿領域の縮小を防止することができる。
【００６０】
（第２の実施形態）
第１の実施形態においては、更新された広告画像があれば全て自動で更新されていた。一方、第２の実施形態では、広告の訴求効果を高める目的で、更新された広告画像があった場合、更新後の広告画像を挿入して画像形成するかどうかをユーザが選択できるようにしている。
【００６１】
以下、第２の実施形態の構成について説明する。なお、図１のネットワーク図、図２の制御ブロック図など、第１の実施形態の構成と重複する部分は説明を省略する。
【００６２】
図７は、第２の実施形態における画像形成装置の制御を示すフローチャートである。
【００６３】
このフローチャートを実行するためのプログラムは、制御部１のＲＯＭ３に記憶されており、ＣＰＵ２により読み出されて実行される。また、このフローチャートは、ユーザにより操作部８上のスタートキーが押下されたことに応じて実行される。
【００６４】
なお、図７において、ステップＳ２００〜Ｓ２０５については、図６のステップＳ１００〜Ｓ１０５と同様の処理を行うので、説明を省略する。
【００６５】
ステップＳ２０５において新規広告画像を受信した後、ＣＰＵ２は、原稿上の広告スペースに印刷されている広告と同一広告主の新規広告画像を、操作部８に設けられた表示部に表示する。そして、更新する新規広告画像をユーザに選択させる（Ｓ２０６）。
【００６６】
次に、ＣＰＵ２は、ユーザにより選択された新規広告画像の広告画像データのみを挿入するよう画像処理部９に画像処理をさせ、画像形成部１０に当該画像処理後の画像データに基づき記録紙に画像形成させる（Ｓ２０７）。
【００６７】
また、図７のステップＳ２０８〜Ｓ２１３については、図６のステップＳ１０７〜Ｓ１１２と同様の処理を行うので、説明を省略する。
【００６８】
図８は、第２の実施形態における元の広告付き原稿と、当該広告付き原稿の複写物を示す図である。
【００６９】
前述したように、原稿の広告スペース２１及び２２の両方の広告について新規広告画像があった場合であっても、ユーザは一方の広告についてのみ更新するよう指示することが可能である。
【００７０】
そして、例えば、原稿の広告スペース２２についてのみ更新する指示がユーザから入力された場合は、複写物の広告スペース３２についてのみ新規広告画像を挿入して画像形成が行われる。
【００７１】
以上で説明したように、本実施形態によれば、更新された広告画像があった場合、更新後の広告画像を挿入して画像形成するかどうかをユーザが選択できるように構成したので、より一層広告の訴求効果を高めることが可能となる。
【図面の簡単な説明】
【００７２】
【図１】本発明の実施形態に係るネットワーク図である。
【図２】画像形成装置の制御ブロック図である。
【図３】画像形成装置の制御を示すフローチャートである。
【図４】広告つきの原稿の一例を示す図である。
【図５】原稿の広告スペースにおける濃度ヒストグラムの解析結果を示す図である。
【図６】元の広告付き原稿と、当該広告付き原稿の複写物を示す図である。
【図７】第２の実施形態における画像形成装置の制御を示すフローチャートである。
【図８】第２の実施形態における元の広告付き原稿と、当該広告付き原稿の複写物を示す図である。
【符号の説明】
【００７３】
１  制御部
２  ＣＰＵ
３  ＲＯＭ
４  ＲＡＭ
５  ＨＤＤ
６  ネットワークＩ／Ｆ
７  原稿読取部
８  操作部
９  画像処理部
１０  画像形成部
２１  広告スペース
２２  広告スペース
３１  広告スペース
３２  広告スペース
１００  画像形成装置
２００  広告サーバ
３００  クライアントコンピュータ
４００  ネットワーク
【図１】
2010141411.tif 000003
【図２】
2010141411.tif 000004
【図３】
2010141411.tif 000005
【図４】
2010141411.tif 000006
【図５】
2010141411.tif 000007
【図６】
2010141411.tif 000008
【図７】
2010141411.tif 000009
【図８】
2010141411.tif 000010